(57)【要約】  キャビネット、冷蔵庫などのような収納構造に適合した回動式収納装置は、その水平な内部収納面はほぼ方形である。棚板システムは独立型収納プラットフォームとしての使用に加えて棚板アクセサリの形態で示されている。回動式棚板の一部はユーザが収納構造内部の境界外に引き出すことができ、これにより棚板内部への容易なアクセスが可能となる。
2012516708.tif 000002
【特許請求の範囲】
【請求項１】
支持部材の支持面に接合するのに適合した着脱型回動式棚板アセンブリにおいて、
平坦でほぼ扇形の外形を有し、上面と、底面と、保持リップを有するスライド縁部キャビティと、ベース部回動角部とを具えるベース部と、
平坦でほぼ直角三角形の外形を有し、頂部と、底部と、第１縁部および当該第１縁部にほぼ直交する第２縁部の接合部により形成されたメイントレイ回動角部と、当該メイントレイ回動角部の反対側アーチ形縁部とを具えるメイントレイとを具え、
前記アーチ形縁部が、前記メイントレイが前記スライド縁部キャビティ内でのスライド動作を許容しつつ支持可能に保持されるように、前記ベース部の前記スライド縁部キャビティと接続するよう構成されたスライド縁部を具え、
前記メイントレイの前記メイントレイ回動角部が、前記ベース部の上面の前記ベース部回動角部に回動可能に取り付けられ、角部ベースの回動点を構成しており、
前記ベース部がさらに複数の受け部を具え、各受け部が固定具を受容するのに適合しており、前記複数の受け部は、前記支持面上に装着されたら前記棚板アセンブリが安定して支持されるように配置されていることを特徴とする着脱型回動式棚板アセンブリ。
【請求項２】
請求項１の着脱型回動式棚板アセンブリにおいて、前記複数の受け部がさらに、吸着カップ、ナット、ボルト、タイラップ、およびツイストタイからなる群から選択される複数の協働する着脱式固定具を具え、前記ベース部が実質的に前記支持面に固定されると、前記ベース部が相対的に不動となり、前記メイントレイが角部ベースの回動点の周りでスライド移動することを特徴とする着脱型回動式棚板アセンブリ。
【請求項３】
請求項２の着脱型回動式棚板アセンブリにおいて、前記複数の協働する着脱式固定具が複数の吸着カップを具え、前記複数の受け部が略８の字型であり、前記吸着カップを選択的に受けるよう構成されたスライドオンロック受け部構造を提供していることを特徴とする着脱型回動式棚板アセンブリ。
【請求項４】
請求項１の着脱型回動式棚板アセンブリにおいて、前記ベース部の前記底部に、複数の吸着カップ固定具が統合されていることを特徴とする着脱型回動式棚板アセンブリ。
【請求項５】
請求項１の着脱型回動式棚板アセンブリにおいて、前記ベース部がさらに、前記角部ベースの回動点に伸ばして取り付けられ反対側に配置されたコーナートレイを具え、これにより前記メイントレイの近くに追加の収納面を提供することを特徴とする着脱型回動式棚板アセンブリ。
【請求項６】
請求項５の着脱型回動式棚板アセンブリにおいて、前記ベース部の前記コーナートレイが、前記ベース部に統合されていることを特徴とする着脱型回動式棚板アセンブリ。
【請求項７】
請求項１の着脱型回動式棚板アセンブリにおいて、前記メイントレイがさらに、当該メイントレイの前記第１縁部、前記第２縁部、および前記アーチ形縁部のいずれか１以上の周りに配置された垂直壁を具えることを特徴とする着脱型回動式棚板アセンブリ。
【請求項８】
請求項１の着脱型回動式棚板アセンブリにおいて、前記メイントレイがさらに、当該メイントレイの前記第１縁部および前記第２縁部のいずれか１以上の周りに配置されたハンドルを具えることを特徴とする着脱型回動式棚板アセンブリ。
【請求項９】
請求項１の着脱型回動式棚板アセンブリにおいて、前記メイントレイの前記底部と接続する接触面積が低減されるように、前記ベース部の前記上面が少なくとも１の突起を具えることを特徴とする着脱型回動式棚板アセンブリ。
【請求項１０】
請求項１の着脱型回動式棚板アセンブリにおいて、前記ベース部の前記頂部と接続する接触面積が低減されるように、前記メイントレイの前記底面が少なくとも１の突起を具えることを特徴とする着脱型回動式棚板アセンブリ。
【請求項１１】
請求項１０の着脱型回動式棚板アセンブリにおいて、前記メイントレイの底面が、前記メイントレイの剛性が増大するように実質的に連続した構造を有する少なくとも１の突起を具えることを特徴とする着脱型回動式棚板アセンブリ。
【請求項１２】
請求項６の着脱型回動式棚板アセンブリにおいて、前記コーナートレイがさらに、その上に座するよう構成されたコーナートレイコンテナを具え、当該コーナートレイコンテナが、前記コーナートレイの外辺形状とほぼ同様の略三角形の断面を有し、これにより空間効率のよい収納手段を提供することを特徴とする着脱型回動式棚板アセンブリ。
【請求項１３】
真っ直ぐな側壁、左側壁および後壁を有する略直線で囲まれた構造体の内部にはめるのに適合した着脱型回動式棚板アセンブリにおいて、
平坦でほぼ方形の外形を有し、上面と、底面と、保持リップを有するスライド縁部キャビティと、ベース部回動角部と、右側部と、左側部と、前記着脱型回動式棚板アセンブリを前記略直線で囲まれた構造体の内部に取り付ける手段とを具えるベース部と、
平坦でほぼ直角三角形の外形を有するメイントレイであって、頂部と、底部と、第１縁部、当該第１縁部にほぼ直交する第２縁部、およびメイントレイ回動角部に対向するアーチ形縁部の接合部により形成されたメイントレイ回動角部とを具えるメイントレイとを具え、前記アーチ形縁部が、前記メイントレイが前記スライド縁部キャビティ内でのスライド動作を許容しつつ支持可能に保持されるように、前記ベース部の前記スライド縁部キャビティと接続するよう構成されたスライド縁部を具え、
前記メイントレイの前記メイントレイ回動角部が、前記ベース部の上面の前記ベース部回動角部に回動可能に取り付けられ、角部ベースの回動点を構成していることを特徴とする着脱型回動式棚板アセンブリ。
【請求項１４】
請求項１３の着脱型回動式棚板アセンブリにおいて、前記ベース部がさらに、前記角部ベースの回動点の反対側に伸ばして取り付けられたコーナートレイを具え、これにより前記メイントレイの近くに追加の収納面を提供することを特徴とする着脱型回動式棚板アセンブリ。
【請求項１５】
請求項１３の着脱型回動式棚板アセンブリにおいて、前記ベース部の前記コーナートレイが、前記ベース部に統合されていることを特徴とする着脱型回動式棚板アセンブリ。
【請求項１６】
請求項１３の着脱型回動式棚板アセンブリにおいて、前記メイントレイがさらに、当該メイントレイの前記第１縁部および前記第２縁部のいずれか１以上の周りに配置されたハンドルを具えることを特徴とする着脱型回動式棚板アセンブリ。
【請求項１７】
請求項１３の着脱型回動式棚板アセンブリにおいて、前記ベース部の前記頂部と接続する接触面積が低減されるように、前記メイントレイの前記底面が少なくとも１の突起を具えることを特徴とする着脱型回動式棚板アセンブリ。
【請求項１８】
請求項１３の着脱型回動式棚板アセンブリにおいて、前記取り付ける手段が、
前記ベース部の前記底面に取り付けられ、前記略直線で囲まれた構造体の内部の後壁に設けられたスロット付トラックにより受けられる少なくとも２の支持ブラケットを具えることを特徴とする着脱型回動式棚板アセンブリ。
【請求項１９】
請求項１３の着脱型回動式棚板アセンブリにおいて、前記取り付ける手段が、
前記ベース部の前記右側部と前記左側部とに取り付けられ、前記略直線で囲まれた構造体の内部の右側壁と左側壁に設けられた協働する水平支持構造により受けられる少なくとも２の支持レールを具えることを特徴とする着脱型回動式棚板アセンブリ。
【請求項２０】
請求項１５の着脱型回動式棚板アセンブリにおいて、前記コーナートレイがさらに、その上に座するよう構成されたコーナートレイコンテナを具え、当該コーナートレイコンテナが、前記コーナートレイの外辺形状とほぼ同様の略三角形の断面を有し、これにより空間効率のよい収納手段を提供することを特徴とする着脱型回動式棚板アセンブリ。
【発明の詳細な説明】
【技術分野】
【０００１】
[優先権／関連出願]
本発明は、２００９年２月２日にＪｏｓｅｐｈ  Ａ．ＰｏｌｉｚｚｉおよびＭｉｃｈａｅｌ  Ｔ．Ｋａｎｅの名において出願された米国仮特許出願第６１／１４９，０６４号の優先権を主張するものである。また、２０１０年１月８日に出願された米国特許出願第１２／６８４，７４０号の優先権を主張するものである。これらの出願はその全体が参照により本書に組み込まれている。
【０００２】
本発明は、一般に回動または回転式棚板システムに関し、より具体的には冷蔵庫や、水平でほぼ方形の収納面を有する任意の他の構造体に適合した回動式収納装置に関する。回動式収納装置の一部は、ユーザが収納構造内部の境界外に手動で引き出すことができ、これにより棚板の内容物への容易なアクセスが可能となる。
【背景技術】
【０００３】
収納構造に適用される様々な回転または回動式収納装置の使用や利点が知られているが、このような回転または回動式収納装置、それらの使用方法に関連する望ましい特性と、それらの使用を促す潜在的な動機の解決および／または克服に関しては未解決のままである。
【０００４】
以下はキャビネット、冷蔵庫などのような収納構造に用いる回転または回動式棚板システムに関する従来技術の例である。例えば、Ｐｏｗｄｅｒの米国特許第３，１７２，７１５号およびＴｏｒｏｎｔｏの米国特許第２，６９２，８１３号は基本的に可動棚板およびその内容物の全荷重に耐えうる回動式ジョイントアセンブリを要する棚板システムを開示している。このようなシステムは複雑で丈夫な場所をとるハードウェアを必要とする。さらに冷蔵庫の側壁はこのような荷重に耐えうる強度を有するだけでなく、このようなハードウェアの取り付けを受容するよう構成されなければならない。
【０００５】
Ｌｅｅの米国特許第５，８１０，４６２号およびＷａｒｒｅｎの米国特許第１，８９９，１７１号はともに、冷蔵庫の側壁、後壁を含むいくつかの取付領域または支持点、および冷蔵庫の正面扉に取り付けられた必要な支持ジョイント型の接続を要する棚板システムを記載している。正面扉に必要な接続があると、扉を開けるたびに、ユーザが可動棚板およびその内容物の荷重を扱うことになる。さらに棚板の内容物全体が、扉の各開／閉サイクル中、温度と湿度が制御された冷蔵庫内部から外部環境に取り出され、熱損失や食品の損傷などの機会が大きくなる。
【０００６】
Ｍａｇｌｉｎｇｅｒの米国特許第５，５７７，８２３号は側壁に取り付けられている底部を有する完全に丸い回転収納コンテナを内蔵する引き出し部材を利用する棚板システムを開示している。コンテナの円形形状は、一般にこのようなユニットを具えている入手可能な方形の収納設置面積と比べて、利用可能な収納領域の損失をもたらす。さらにホーム位置がないため（一般に完全に丸い回転収納ユニットにはない）、収納物の相対配置は１のアクセスから次のアクセスまで維持されない。さらにこの装置は、頂部開口を介して、内容物への完全なアクセス性を可能にするために、引き出しユニットが完全に前方に伸長した位置に操作されていなければならないという厄介なアクセス方法となっている。
【先行技術文献】
【特許文献】
【０００７】
【特許文献１】米国特許第５，８１０，４６２号
【特許文献２】米国特許第５，５７７，８２３号
【発明の概要】
【発明が解決しようとする課題】
【０００８】
本発明の目的は、さらなる新規な特徴を導入することと、上述の従来技術のいくつかの欠点を克服することである。
【課題を解決するための手段】
【０００９】
本発明は回動式収納装置に関し、より具体的にはキャビネット、冷蔵庫などのようなほぼ方形の内部収納面を有する、ほぼ直線の表面形状の収納構造に適合した回動式収納装置に関する。基本的なシステムは、収納構造（例えば、棚板、側壁、後壁）を具えるしっかり固定された構造に取り付けられている平坦なベース部の頂部に連結されている回動式メイントレイからなる。この回動式収納装置のメイントレイ部品は、ユーザが構造内部の境界外に手動で引き出すことができ、これにより棚板の内容物への容易なアクセスが可能となる。
【００１０】
回動式収納装置上の物体を取り出す基本的な方法は、収納構造の扉を開けるステップと、メイントレイをそのホーム位置から前方に伸長させるステップと、対象物体を配置、および取り出すステップと、メイントレイをそのホーム位置に閉じるか戻すステップと、収納構造の扉を閉めるステップとを含む。
【００１１】
本発明の主たる目的は、したがって、一般に冷蔵庫、キャビネットなどに見られるようなスロット、スロット付トラックなどのような標準的な取付構造に取り付けることができるだけでなく、棚板のような既存の面に素早く容易に取り付けるよう構成されている四分円形状、パイ形状、または扇形形状の回動式収納棚板アセンブリを提供することである。
【００１２】
本発明の別の目的は、広く利用される方形の収納設置面積に関連する収納空間の有効利用を最大化することである。
【００１３】
さらに本発明の別の目的は、収納物の相対的位置を相互および収納構造環境に対して維持することである。物体の位置の保存は、本発明の回動式収納構造とともに作用して、不変の収納面で記憶を介して容易なアイテム配置を実現するとともに、収納物への容易なアクセスを提供する。
【００１４】
本発明には多くの実施例があるが、各実施例は任意の組み合わせにおいて、１又はそれ以上の上述した目的と合致するかもしれない。各実施例は各目的と必ずしも合致するとは限らない。
【００１５】
このように、詳細な説明がよりよく理解され、かつ現在技術への貢献が称賛されるように本発明の最も重要な特徴を広く示しながら、本発明のさらなる特徴が本書に記載され、本明細書に添付の特許請求の範囲の主題の一部を形成するであろう。
【００１６】
この点において、本発明の少なくとも１の実施例を詳細に説明する前に、発明が以下の記載に説明されている構造の詳細、および図面に例示されている部材の配置に限定されないことを理解されたい。本発明は別の実施例が可能であり、様々な方法で実行および実施可能である。
【００１７】
このように、当業者は本開示に基づく概念を、本発明のいくつかの目的を実施する別の構造、方法およびシステムの設計の基礎として容易に利用可能であることを理解するであろう。したがって本発明と見なされる概念の精神と範囲から逸脱しない範囲で、記載がこのような等価構造を含むものと見なされることは重要である。
【図面の簡単な説明】
【００１８】
本発明を明細書および図面を参照しながら説明するが、同様な参照番号は同様な要素を対象としている。
【図１Ａ】図１Ａは、取り付けられたコーナートレイを有する一実施例による回動式収納装置の斜視上面図を示す。
【図１Ｂ】図１Ｂは、図１Ａの実施例による回動式収納装置の平面図を示す。
【図１Ｃ】図１Ｃは、図１Ａの実施例による回動式収納装置の側面図を示す。
【図１Ｄ】図１Ｄは、図１Ａの実施例による回動式収納装置の底面図を示す。
【図１Ｅ】図１Ｅは、図１Ａの実施例による回動式収納装置の部分切欠き側面図を示す。
【図２】図２は、図１Ａに示された実施例のさらなる詳細を示す分解斜視図である。
【図３Ａ】図３Ａは、図１Ａに示された実施例に対応するベース部の斜視上面図を示す。
【図３Ｂ】図３Ｂは、図１Ａに示された実施例に対応するベース部の上面図を示す。
【図３Ｃ】図３Ｃは、一体型コーナートレイを有するベース部の代替実施例の斜視上面図を示す。また、ベース部を開放型の棚板（例えば、ワイヤラックなど）に取り付ける様々な手段の例も示されている。
【図３Ｄ】図３Ｄは、メイントレイ回動システムに対するベース部の代替実施例の斜視底面図を示す。
【図４Ａ】図４Ａは、一実施例による回動式収納装置のメイントレイの上面図を示す。
【図４Ｂ】図４Ｂは、一実施例による回動式収納装置のメイントレイの斜視上面図を示す。
【図４Ｃ】図４Ｃは、一実施例による回動式収納装置のメイントレイの側面図を示す。
【図４Ｄ】図４Ｄは、一実施例による回動式収納装置のメイントレイの底面図を示す。
【図５Ａ】図５Ａは、一実施例による回動式収納装置のコーナートレイの上面図を示す。
【図５Ｂ】図５Ｂは、一実施例による回動式収納装置のコーナートレイの斜視底面図を示す。
【図５Ｃ】図５Ｃは、一実施例による回動式収納装置のコーナートレイの底面図を示す。
【図６Ａ】図６Ａは、ほぼ方形の外形と２つの対向する扉とを有する一般的な収納環境において、２つの隣接する回動式収納装置の時計回りおよび反時計回りの取付スキームを示す上面図を示す。
【図６Ｂ】図６Ｂは、左側収納装置を開位置に回動させた２つの隣接する回動式収納装置の上面図を示し、ほぼ方形の外形と２つの対向する扉とを有する一般的な収納環境における時計回りおよび反時計回りの取付スキームを示す。
【図７Ａ】図７Ａは、断続的な取り付けスロットを有する一対の縦レールに取り付けるよう構成された２つの支持アームを有する代替実施例による回動式収納装置の斜視上面図を示す。
【図７Ｂ】図７Ｂは、図７Ａの代替実施例による回動式収納装置の上面図を示す。
【図７Ｃ】図７Ｃは、図７Ａの代替実施例により用いられる支持アームの側面図を示す。
【図７Ｄ】図７Ｄは、図７Ａの代替実施例による回動式収納装置の底面図を示す。
【図８Ａ】図８Ａは、２つの対向する各側壁上に、対応する水平なスロット付レール対を有する収納機構に取り付けるよう構成された側部レール取り付け機構を有する代替実施例による回動式収納装置の斜視上面図を示す。
【図８Ｂ】図８Ｂは、図８Ａの代替実施例による回動式収納装置の上面図を示す。
【図８Ｃ】図８Ｃは、図８Ａの代替実施例による回動式収納装置の下面図を示す。
【図９Ａ】図９Ａは、独立型コーナートレイコンテナの斜視上面図を示す。
【図９Ｂ】図９Ｂは、回動式収納装置の一実施例のコーナートレイ部に置かれている独立型コーナートレイコンテナの斜視上面図を示す。
【図９Ｃ】図９Ｃは、回動式収納装置の一実施例のコーナートレイに置かれている独立型コーナートレイコンテナの上面図を示す。
【００１９】
図面は縮尺通りではなく、実際には、いくつかのアスペクトが記述のよりよい説明と理解のために強調されている。
【００２０】
[回動式収納装置のための部品リスト]
１１０．回動式収納装置
１１２．メイントレイ
１１４．コーナートレイ
１１４ａ．一体型コーナートレイ
１１６．嵌合部
１１８．角部ベースの回動点
１２０．アセンブリ第１側の寸法
１２２．アセンブリ第２側の寸法
１２４．下面（ベース部）
１２６．スライド縁部キャビティ
１２８．第１縁部（メイントレイ）
１３０．第２縁部（メイントレイ）
２１０．メイントレイ回動固定具レシーバ
２１２．メイントレイ回動開口
２１４．ベース部回動固定具
２１６．座面固定具（吸着カップ）
２１８．ベース部コーナートレイ固定具
３１０．ベース部
３１１．ベース部保持リップ
３１０ａ．代替ベース部
３１２．ロック受け部
３１２ａ．固定具受け部
３１２ｂ．固定具受け部の詳細
３１３．ベース部回動角部
３１４．ベース部コーナートレイ開口
３１５．代替固定具
３１５ａ．タイラップ
３１５ｂ．ツイストタイ
３１５ｃ．ナット，ボルト，およびワッシャ
３１６．ベース部回動開口
３１６ａ．一体型ベース部回動開口リップ
３１６ｂ．一体型メイントレイタブ
３１８．ベース部の幅
３２０．ベース部の長さ
３２２．第１停止ポスト
３２４．第２停止ポスト
３２６．チャネル
３２８．上面
３３０．上昇面
４１０．メイントレイリブ
４１２．垂直壁
４１３．メイントレイ回動コーナー
４１４．第１停止タブ
４１６．第２停止タブ
４１８．スライド縁部
４２０．メイントレイ第１縁部の寸法
４２２．メイントレイ第２縁部の寸法
４２４．メイントレイ第１縁部
４２６．メイントレイ第２縁部
４２８．アーチ形の縁部
４３０．下面
５１０．コーナートレイ上面
５１２．保持リップ
５１４．ベース部固定具受け部
５１５．コーナートレイ下面
５１６．位置決め部材
５１８．コーナートレイ第１側
５２０．コーナートレイ第２側
６１０．座面
６１２．支持部材
６１４．収納構造体
６１６．時計回りの取り付け
６１８．反時計回りの取り付け
６２０.  時計回りの弧軌道
６２２．反時計回りの弧軌道
６２４．左側扉
６２６．右側扉
６２８．左側壁
６３０．右側壁
６３２．後壁
６３４．開位置
７１０．後壁
７１２．左側スロット付トラック
７１４．右側スロット付トラック
７１６．（支持ブラケット付）回動式収納装置
７１６ａ．回動式収納装置の底部
７１８．左側支持ブラケット
７２０．右側支持ブラケット
７２２．ブラケット取り付け孔
７２４．取り付けタブ
７２６．時計回りの取り付け孔
７２８．反時計回りの取り付け孔
７３０．支持ブラケット
８１０．右側壁
８１２．左側壁
８１４．内部
８１６．収納構造
８１８．後壁
８２０．左側スロット
８２２．右側スロット
８２４．（サイドレール付）回動式収納装置
８２６．左側レール
８２８．右側レール
８３０．方形ベース部
８３２．（ベース部の）底部
９００．コーナートレイコンテナ
９０２．コーナートレイコンテナカバー
９０２ａ．コーナートレイコンテナカバー開口
９０４．コーナートレイコンテナ底部
９０６．コンテナ底部
９１０．第１メイントレイハンドル
９１１ａ．第１メイントレイ縁部
９１１ｂ．第２メイントレイ縁部
９１２．第２メイントレイハンドル
９１４．メイントレイ
【００２１】
本書に用いられる文体および述語は、記載の目的のためであり限定と解すべきではないことを理解されたい。
【００２２】
[使用される用語の定義]
前述の直線で囲まれた構造体に適合した回動式収納装置は、等価な名称を有するべきである。例えば、回動式収納装置、装置、本発明、またはこの発明など。また、方形との用語は、等辺四角形または正方形と呼ばれるすべての外形面が等しい長さのものを含むと理解される。
【００２３】
本明細書で用いられる、パイカット、四分円形状、扇形、扇カット、直角扇形の用語は、２つの半径線とこれらをはさみとる弧で形成される円の領域で規定される「sector」の通常の数学用語であり、２つの半径線の間の角度は、本発明において、約９０度である。さらに、「例」の語は本開示においてたった１つの意味を呈する：この「例」の語は、例として、例えば、または実例を意味する。
【発明を実施するための形態】
【００２４】
分離したコーナートレイ１１４を有する回動式収納装置１１０の第１実施例が、図１Ａ−１Ｅ、図２、図３Ａ、３Ｂ、図４Ａ−４Ｄ、図５Ａ−５Ｃに記載されている。この実施例は、物体の操作を実現するために、例えば冷蔵庫、キャビネット等の収納装置に用いる付属品型の装置として用いられるべく構成されている。この装置は、着脱式の収納補助具または付属品として機能し、図６Ａ、６Ｂに示すように、収納構造体６１４内に配置された既存の支持部材６１２の座面６１０に搭載された付属品として描写されている。既存の支持部材６１２は座面６１０を提供するものであり、棚板、ラック、棚などを含む。
【００２５】
図１Ａ、１Ｂは、接合部１１６（詳細は図１Ｅ参照）と回動コーナー１１８を介したコーナートレイ１１４とのスライド関係を有するメイントレイ１１２をそれぞれ示す回動式収納装置１１０の斜視図と平面図である。図１Ｅを参照すると、保持リップ５１２付きスライド縁部キャビティ１２６はコーナートレイ１１４の必須の構造ではなく、代わりに、このような構造はベース部３１０に組み込まれてもよく、このようなシステムでは、コーナートレイ１１４は回動式収納装置１１０の任意の構成要素となる。
【００２６】
例えば円盤などの平坦な円形物体の回転中心あるいは回動点は、この平坦な円形物体が回動点を中心に回転しても相対移動が殆どあるいは全くないという特性をもつ位置であることがよく知られている。このため、完全に丸い回転型装置（例えば回転盆）上の中央位置に保管される物品へのアクセスは、この装置の回転によって実質的に改善されない。図１Ａ、１Ｂに示すように、本発明の回動点は中央配置されておらず、角部ベースの回動点１１８の位置に配置されている。図６Ａを参照すると、角部ベースの回動点１１８が既存の支持部材６１２のアクセス可能な前部に配置されるように回動式収納装置１１０が搭載されると、メイントレイ１１２上のアクセス性のデッドスポットは本質的に消滅する。完全に丸い回転ユニット上に中央配置された物品へのアクセス性は、ユニットが回転しても回転中心はユニットの中央に永存するため実質的に改善されないが、本発明では、組み込み時に回転の中心が装置の前角部に位置するよう構成されているため、アクセスできない問題が解消される。
【００２７】
さらに、（完全に丸い回転ユニットにはホーム位置がないのと異なり）本発明で収納される物品の相対配置が維持され、この特徴は特にこのような空間的再現性を好む人々（例えば、視覚障害者、老人など）の関心となる。
【００２８】
図２は、図６Ａの支持部材６１２の座面６１０（例えば冷蔵庫のラック、キャビネットの棚板など）に適合する回動式棚板アセンブリ１１０の分解斜視図である。回動式棚板アセンブリ１１０は、ほぼ平坦な形状のベース部３１０を具え、これはベース部３１０の下面１２４からアクセス可能な、前記ベース部３１０に統合されたロック受け部３１２の列を有する（図１Ｄに底面図が最もよく描かれている）。ロック受け部３１２は、吸着カップの一種などである座面固定具２１６に適応するよう構成されている。吸着カップの一種の座面固定具２１６の機能は、例えば平滑なガラスやプラスチック等で製造される冷蔵庫のラックやキャビネットの棚板などの通常の連続的な平滑面に取り付けられることである。図示する座面固定具２１６は、冷蔵庫タイプの機器等に付属の棚板に共通して用いられる平滑な平坦面に固着するよう構成された吸着カップの形態である。このような吸着カップ型の装置は一般に、柔軟な重合体材料で製造される。
【００２９】
装置を取り付ける代替手段が図３Ｃに記載されている。固定具受け部３１２ａは、代替ベース部３１０ａの略方形の開口として示されているが、この輪郭に限るものではない。固定具受け部３１２ａは、吸着カップ型の固定具が正しく機能しないような、大きく広い領域（例えばワイヤラック、パーフォレーション型のパターンを有する棚板など）をもつ座面６１０を有する支持部材６１２と協働するよう構成された代替固定具３１５と協働するのに適合している。代替固定具３１５は、複数のタイラップ３１５ａ、ツイストタイ３１５ｂ、ナット、ボルト、およびワッシャ３１５ｃのアセンブリ、またはこれらの任意の組み合わせを含む。好適な実施例では、着脱可能な固定具を用いることが好ましく、回動式収納装置を取り外して周囲の収納エリアとともに装置の清掃が可能となる。このため、解除タブを有する特別な種類のタイラップ３１５ａを用いると、上述した理由とともに、この固定具の再利用が可能になる点で好適である。方形以外の開口の形状、例えば円形は、ボルトなどの円筒形の固定具と協働するのに良好と思われ、可能なオプションとして考えられる。さらに、他の固定原理（例えば、フックとループ、磁石など）を多様な表面タイプの収納装置を固定するのに利用可能であると解され、このような固定手段は固定技術においてよく知られている。
【００３０】
図１Ｄを参照すると、吸着カップの形態で描かれている座面固定具２１６が、ロック受け部３１２にポジティブロック方式（positive locking manner）で着脱可能に取り付けられており、これにより固定具を動かなくし、これらをベース部３１０に固定している。これは、部分的に、ロック受け部３１２が８の字型の構成を有し、これが吸着カップ２１６を非永続方式で適応していることによる。この非永続方式の取付スキームにより、吸着カップが劣化した場合に交換可能となり、同時に運用から装置を容易に取り除くことができる。
【００３１】
図２を再び参照すると、メイントレイ１１２がベース部３１０の上面３２８に、ベース部回動開口３１６とメイントレイ回動開口２１２の両方を貫通するベース部回動固定具２１４を介して回動可能に取り付けられており、回動ジョイントがメイントレイ固定具レシーバ２１０で閉じられている。ベース部回動固定具２１４とメイントレイ固定具レシーバ２１０とは、多様な周知の固定具技術から選択することができる（例えばナットとボルト、スナップ嵌め等）。容易に解除できる固定技術を用いて、こぼしたりしたときに装置を分解して清掃できるようにすることが望ましい。図３Ｄには、ベース部回動開口リップ３１６ａの構造が、代替ベース部３１０ａ（図３Ｃに示す）の統合部品として製造された一体型回動システムが一体型メイントレイタブ３１６ｂと協働して回動するよう構成されているのが示されている。一体型部材を有するこのような回動システムは素早く容易な取り外しだけでなく取り付けも可能とする対費用効果の高い回動手段を提供する。図３Ｄの一体型回動システムは、１つの可能な回動システムの実施例を示したものであり、一体型メイントレイタブ３１６ｂが複数のタブとして示されている。これら複数のタブは正しい位置にスナップ嵌めするよう構成されてもよいし、単に座するようにしてもよく、さらにこれら複数のタブは完全に円形の連続するリング等に代えることもできる。所定の回動アプリケーションを満足しうる同等のいくつもの可能な回動システムの実施例が存在すると考えられる。
【００３２】
図２を再び参照すると、メイントレイ１１２は、第２縁部１３０に直交する第１縁部１２８を有する９０度の扇形を呈し、さらに、スライド縁部４１８を具える湾曲またはアーチ形の第３縁部４２８を呈する。コーナートレイ１１４が、ベース部コーナートレイ開口３１４を通りコーナートレイの底部（図５Ｃに最もよく示す）に設けられたベース部固定具受け部５１４に固定されるベース部コーナートレイ固定具２１８を用いてベース部３１０に取り付けられている。コーナートレイ１１４の保持リップ５１２が、ベース部３１０とともにスライド縁部キャビティ１２６（図１Ｅに最もよく示す）を形成し、ここでメイントレイ１１２のスライド縁部４１８が回動可能になると同時に幾何学的平面内に制限するよう支持を提供している。保持リップ５１２の構造は、スライド合致面（図１Ｅに最もよく示す）を含むが、この構成に限定されるものではない。本構成では、保持リップ５１２は図２に示すようにコーナートレイ１１４に統合されている。保持リップ５１２の構造は、代替的に、図３Ｃに示すようにベース部３１０の一体構造に取り付けられるかこれを構成してもよく、ここではベース部保持リップ３１１はベース部３１０に統合されている。
【００３３】
図３Ａ、３Ｂは各々、ベース部３１０の斜視図と平面図である。図３ａに示す実施例のベース部３１０の例示的な寸法は、ベース部の幅３１８は２３．０ｃｍ−４３．０ｃｍにわたり、ベース部の長さ３２０は４２．０ｃｍ−６２．０ｃｍである。図３Ｂはベース部３１０の上面３２８のさらなる詳細を示し、第１停止ポスト３２２および第２停止ポスト３２４が、メイントレイ１１２の下面４３０の第１停止タブ４１４および第２停止タブ４１６にそれぞれ接合するよう設計され（図４Ｄに示す）、この構造が、メイントレイ１１２が延びすぎないよう、または保護するように移動の制限を提供する。
図４Ｄの本構造は、メイントレイ１１２の下面４３０に取り付けられた複数のメイントレイリブ４１０の１つに取り付けられた第１停止タブ４１４と第２停止タブ４１６とを示す。装置が十分に組付けられた状態において、第１停止タブ４１４および第２停止タブ４１６は、合致する第１停止ポスト３２２と第２停止ポスト３２４と各々協働するよう構成されており、ここでは第１停止ポスト３２２および第２停止ポスト３２４は、ベース部３１０の上面３２８上に配置された少なくとも１の所定のチャネル３２６内に配置されている。この描写は、移動の限定保護を提供する多くの可能な構成のうちの１つであると理解されることを意図している。
【００３４】
複数のチャネル３２６および複数の上昇面３３０は、波形の形状を有するベース部３１０を提供し、このような外形はベース部３１０の構造を摩擦を低減したスライド面に加えてさらなる強度を提供する。スライド面の摩擦の低減が唯一の関心事（追加のベース部の強度は問題ではない）であるこの状況では、摩擦の低減を達成するためにさらなる外形または構造が存在する（例えば、隆起、パッドなど）。摩擦を低減したスライド面は１又はそれ以上の突起により作成され、これらの突起はメイントレイ１１２のベース部３１０上面３２８と、下面４３０との間の接合する表面領域を減少させる。代替実施例において、突起は単独でメイントレイ１１２のベース部３１０上面３２８または接合する下面４３０上、あるいはその任意の組み合わせに存在してもよく、メイントレイ１１２のベース部３１０上面３２８および接合する下面４３０はともに摩擦低減突起を有する状態を含む。
【００３５】
摩擦低減突起は、開示された構造に限定されない複数の突出構造から説明されると理解される。別の可能な摩擦低減構造は、レール、ポスト、断続的な高／低面形状、ランダムな突起などを含む。レールおよび／またはチャネル型の突起などは、ベース部３１０および／またはメイントレイ１１２型の構造に適用されると補強特性を促進させるさらなる利点を提供する。
【００３６】
図３Ｃは、一体型コーナートレイ１１４ａの代替実施例を有して改良された代替ベース部３１０ａの構成を示している。このような実施例の好適な解釈において、一体型コーナートレイ１１４ａおよび代替ベース部３１０ａは、所定の製造プロセス（例えば、射出成型）における単一ユニットとして作られる。
【００３７】
ベース部３１０ａは２つの固定具受け部３１２ａ（固定具受け部３１２ｂの詳細によく示されている）を示しており、各受け部は、開放領域棚板タイプ（例えば、ワイヤラック、有孔メタルまたはプラスチック）に取り付けられるように設計された様々な固定具と協働するよう構成された開口を有する。本発明を開放領域タイプの棚板に取り付けるように設計されたこのような固定具の例は、代替固定具３１５として示されている。このような固定具の１つは、ラチェット状のクロージャを提供するタイラップ３１５ａであり、タイラップ３１５ａの好適なバージョンは、タイを開放させて、実質的に再利用できる開放タブ付のものである。別のタイプの固定具はツイストタイ３１５ｂであり、バリエーションは簡易なワイヤ、プラスチック被覆金属ワイヤなどを含む。さらに別のタイプの固定具は一般的なナット、ボルト、およびワッシャ３１５ｃである。前述の取付スキームの基本的な構造および方法はよく知られている。
【００３８】
図３Ｄは代替的な回動スキームを有する代替ベース部３１０ａの構成を示しており、ここでは代替実施例は一体型メイントレイタブ３１６ｂを有するメイントレイと回動協働するよう構成された一体型ベース部回動開口リップ３１６ａを有するベース部回動開口３１６を組み込んでいる。開示された回動スキーム、およびその均等物は固定部材をそれらの各ベース部およびメイントラップの親部材と一体化させてもよく、これにより、個々の部品が少ない着脱取り付け可能なアセンブリを提供する。
【００３９】
図４Ａ−図４Ｄは、メイントレイ１１２の様々な図と態様を示す。メイントレイ１１２のさらなる詳細は、図４Ｂに最もよく示すように、メイントレイ１１２を補強する手段を提供するとともに、こぼしたものなどの収容を補助すべく選択的に連続上昇した周囲を具える垂直壁４１２を含む。この垂直壁４１２がメイントレイ１１２を補強するためだけの手段として用いられる場合、設置の応用例に応じて垂直壁４１２を有するメイントレイ周囲を設けてもよい。本構造のバリエーションは、メイントレイ第１縁部４２４、メイントレイ第２縁部４２６、アーチ形縁部４２８、またはその任意の組み合わせ用の垂直壁４１２を提供することを含む。
【００４０】
ベース部３１０と同様に、メイントレイ１１２の下面４３０に配置された複数のリブ４１０は、メイントレイ１１２に波形の表面形状を提供し、摩擦が低減されたスライド面に加えて、メイントレイ１１２の構造に追加の強度または剛性を付与する。メイントレイ１１２は前方に回動して独立した状態となる部材であるため、強度または剛性を増加する追加の構造を提供して、メイントレイ１１２を荷重状態でも平坦、平面形状に保つようにする。スライド面の摩擦の低減が唯一の関心事（追加のベース部強度は問題ではない）である状況では、摩擦の低減を達成するために追加の外形または特徴が存在する（例えば、隆起、パッドなど）。摩擦を低減したスライド面は１又はそれ以上の突起により作成され、これらの突起はメイントレイ１１２のベース部３１０上面３２８と、接合する下面４３０との間の表面領域を減少させる。代替実施例において、突起は単独でメイントレイ１１２のベース部３１０上面３２８または接合する下面４３０上、あるいはその任意の組み合わせに存在してもよく、これにはメイントレイ１１２のベース部３１０上面３２８および接合する下面４３０はともに摩擦低減突起を有する状況を含む。摩擦低減突起は、開示された構成に限定されない複数の突出構造から説明されると理解される。別の可能な摩擦低減構造は、レール、ポスト、連続的な高／低面形状、ランダムな突起などを含む。レール、チャネルなどのような概ね連続した構造は、ベース部３１０および／またはメイントレイ１１２部材に配置されると、強度、より具体的には硬くする特性を促進させるさらなる利点を提供する。別の可能な摩擦低減構造はレール、ポスト、連続的な高／低面形状、ランダムな突起などを含む。
【００４１】
図４Ａの実施例の例示的なメイントレイ１１２の寸法は、２９．０ｃｍ−３９．０ｃｍにいたるメイントレイ第１縁部の寸法４２０と、２９．０ｃｍ−３９．０ｃｍにいたるメイントレイ第２縁部の寸法４２２とを含み、これら２つの寸法は概ね等しい。図１Ｂに示されたアセンブリ第１側の寸法１２０とアセンブリ第２側の寸法１２２とは、装置のほぼ正方形の形状のため、メイントレイ第１縁部の寸法４２０およびメイントレイ第２縁部の寸法４２２と同じ寸法属性を共有する。ほぼ平坦な性質の装置は図１Ｃに示された側面図に加えて、図４Ｃの側面図に明示されている。
【００４２】
図５Ａ−図５Ｃはコーナートレイ１１４の様々な図と態様を示している。コーナートレイ１１４のさらなる詳細は、図５Ｂ、図５Ｃに示されているコーナートレイ下面５１５上に配置された位置決め部材５１６を含む。位置決め部材５１６は、組付け中、コーナートレイ１１４を別の装置の要素に配置する補助を提供する。図５Ａに示されている実施例の例示的なコーナートレイ１１４の寸法は１５．０ｃｍ−３５．０ｃｍにいたるコーナートレイ第１側５１８と、１５．０ｃｍ−３５．０ｃｍにいたるコーナートレイ第２側５２０とを含み、前述の２寸法は異なってもよい。さらに、適切なメイントレイ１１２の支持を確保するために、コーナートレイ１１４の保持リップ５１２の曲率半径は、図１Ｂ、図１Ｅに示されたような十分な係合を確保するために、図４Ａのメイントレイ１１２のアーチ形縁部４２８の曲率半径と概ね等しいことが推奨される。
【００４３】
図６Ａ、図６Ｂを参照すると、回動式収納装置１１０は時計回りの弧軌道６２０に対応する時計回りの取り付け６１６と、反時計回りの弧軌道６２２に対応する反時計回りの取り付け６１８との２つの可能な取付配向を有する。この２つの取付選択肢６１６、６１８は、時計回りと反時計回りの弧軌道が左側扉６２４および右側扉６２６の各々の弧軌道に対応するとき、メイントレイ１１２の標準（default）閉鎖スキームを提供する。左側扉６２４および／または右側扉６２６を閉鎖すると、開位置６３４にある対応する装置のメイントレイ１１２が、その閉（ホーム）位置に安全に戻るよう動く補助となる。図６Ｂはメイントレイ１１２を開位置６３４にした時計回りの取り付け６１６を有する本発明を示している。装置が図６Ａに示されている前述の２つの取付配向（すなわち、時計回りの弧軌道６２０に対応する時計回りの取り付け６１６と、反時計回りの弧軌道６２２に対応する反時計回りの取り付け６１８）を実現するためには、メイントレイ１１２は扇形の形状をなすよう実質的に形作られるべきであり、ここで用語「扇形」は通常の数学的な「扇形」の意味で特徴付けられており、すなわち２つの半径とそれらの閉じられた弧によって形成された円の領域によって規定され、本発明において２つの半径の角度は約９０度である。
【００４４】
図６Ａ、図６Ｂを参照すると、代替実施例において、２つの取付配向に関する回動式収納装置１１０はともに、相互に一時的にまたは恒久的に取り付けられている。このような回動式収納装置の構造は、さらに大きな収納を提供する、より大きくて丈夫な装置を含むつなぎ目のないまたは連結された構造の利点をもたらすであろう。
【００４５】
図７Ａ−７Ｄはスロット付トラック７１２、７１４上に各々取り付けるのに適合した支持ブラケット７１８、７２０付の回動式収納装置７１６からなる別の実施例の様々な図および態様を示す。例えば、スロット付トラック７１２、７１４は各々、キャビネット、冷蔵庫などを表す（図６Ａに示された）収納構造体６１４の後壁６３２に取り付けることができる。
【００４６】
図７Ｃにおいて、支持ブラケット７３０は、図７Ａのスロット付トラック７１２、７１４に着脱可能に取り付ける取り付けタブ７２４を示している。図７Ａの支持ブラケット７１８、７２０は、図７Ｄに示された回動式収納装置７１６ａの底部に配置された時計回りの取り付け孔７２６と反時計回りの取り付け孔７２８の双方と整列する複数のブラケット取り付け孔を有しており、これらの孔は互いに平行な２つの直線的配列で配置されており、２セットの対の孔を形成している。（図６Ａ、図６Ｂに示された）時計回りの弧軌道６２０または反時計回りの弧軌道６２２は何れも、支持ブラケット７３０取り付け用の適切な対の孔の選択を通して達成可能である。回動式収納装置７１６は、適切な固定手段（例えば、スクリュ、ナットとボルト、リベット、固定ピン金具、スナップ嵌めなど）を用いて、１組の取り付け孔（すなわち、時計回りの取り付け孔７２６または反時計回りの取り付け孔７２６）に取り付けられる。前述の取付選択肢を選択可能にするためには、着脱式の分解を意図していない固定手段（例えば、リベット、接着剤など）により、固定具（例えば、スクリュ、ナットとボルトなど）を選択することが望ましい。
【００４７】
図８Ａ−図８Ｃは、図８Ｃに最もよく示されている方形ベース部８３０の底部８３２に配置された左側レール８２６および対向する右側レール８２８を有する回動式収納装置８２４からなる別の実施例の様々な図および態様を示す。回動式収納装置８２４の左側レール８２６および右側レール８２８は各々、水平に支持する左側スロット８２０および右側スロット８２２、または任意の他の水平対の収容スロットによりスライド収容され、図８Ａに示される高さ調節を提供する。左側スロット８２０および対向する右側スロット８２２は、収納構造体８１６の内部８１４の右側壁８１０および左側壁８１２に各々配置されている。後壁８１８が任意の対の収容スロットに挿入されると、回動式収納装置８２４が自然な後部止めを具えることとなる。
【００４８】
回動式収納装置８２４の対応するスロット対とのスライド関係は、この回動式収納装置８２４全体が前方に引き出されると、ユーザが棚板の内容物にアクセスできるというユーザ配置可能な特性を提供する。回動式収納装置８２４が前方に引き出されると、ユーザは回動式コーナートレイ１１４上に置かれた物体だけでなく、非回動式コーナートレイ１１４上に置かれた物体へもアクセスしやすくなり、さらに、コーナートレイ１１４が（図６Ｂに示すような）開位置６３４にあり、回動式収納装置８２４が前方位置に同時にセットされると、コーナートレイ１１４上に置かれた物体へのアクセス性はさらに改善されることとなる。
【００４９】
図９Ａはコンテナ底部９０６を有するコーナートレイコンテナ底部９０４を有する独立型コーナートレイコンテナ９００を示しており、このコンテナ底部は寸法および形状の双方において、一体型コーナートレイ１１４ａの全体形状または周囲形状とほぼ同様である略方形の底部を有しており、これによりコーナートレイコンテナ９００は一体型コーナートレイ１１４ａや類似の型のコーナートレイに置かれた場合に、空間効率のよい収納手段を提供する。コーナートレイコンテナ９００のシステムは、複数のオプションのコーナートレイコンテナカバー開口９０２ａを有するオプションのコーナートレイコンテナカバー９０２を有し、開口は消臭剤や重曹などの通気手段を提供する。
【００５０】
図９Ｂは、空間効率のよい収納手段を示す本発明の一体型コーナートレイ１１４ａに置かれたコーナートレイコンテナ９００システムの斜視図である。図９Ｃは空間効率のよい収納手段をさらに示す一体型コーナートレイ１１４ａに置かれたコーナートレイコンテナ９００システムの上面図である。
【００５１】
図９Ｂは、さらに任意の第１メイントレイハンドル９１０および第２メイントレイハンドル９１２を示す。双方のメイントレイハンドルの機能は、メイントレイ９１４を展開する容易なアクセス特性をユーザに提供することである。第１メイントレイハンドル９１０および第２メイントレイハンドル９１２は各々、第１メイントレイ縁部９１１ａおよび第２メイントレイ縁部９１１ｂの垂直突出部である一体成形タブとして示されている。第１メイントレイハンドル９１０および第２メイントレイハンドル９１２の描写は例示的であり、よって描写された実施例に限定されるものではない。
【００５２】
本発明の別の実施例はさらに、ユーザによって開放されて開位置にあるメイントレイが、自動的にホーム位置に戻る自動閉鎖特性（図示せず）を用いるメイントレイを含む。このような自動閉鎖特性を実現する装置はよく知られており、それらの簡易な設計により関連する機械的作用を迅速に理解できるようになる。このような機構の例はコイルバネの利用に基づいており、コイルバネはエネルギが（ユーザによる）メイントレイの開放中に蓄えられてバネを巻き、バネを巻き戻すことにより動力が与えられてメイントレイをホーム位置に戻す。このようなものの別の例は、重力に基づく重りシステムであり、（ユーザによる）メイントレイの開放が重りを持ち上げ、この重量により動力が与えられてメイントレイをホーム位置に戻すよう利用されており、（ケーブルなどを介して）メイントレイに接続され、重力により下に引き戻される。このような自動閉鎖特性の別の例は、圧縮バネ、板バネ、電動機などに基づくものがある。
【００５３】
本発明の大部分を占める材料は、好適には比較的高強度かつ低重量なものである。ポリマ系では、Ｌｅｘａｎ、ナイロン、ＡＢＳなどのような成形可能なプラスチックは高い生産量、低コストの利点を提供することに加えて、比較的高強度かつ低重量の特性を提供することができる。必要ならば、追加の材料の強度が（例えば、ガラスファイバなどの）プラスチックフィラーを用いることにより達成することができ、使用されるフィラーの量は所望の特性による。フィラーを含む例示的なポリマまたはプラスチックは、３０％のグラスファイバ充てんナイロン、１０％のグラスファイバ充てんＡＢＳ、または３０％のグラスファイバ充てんＬｅｘａｎを含む（例を挙げるとポリカーボネート）。透明または半透明のプラスチックを使用すると、照明および（不透明な材料によって妨げられた）物体の識別の改善を含むさらなる利点をユーザに提供する。より重いステンレス鋼の使用は、市販の飲食物の提供サービス型の環境において好適かもしれないが、金属材料のうち、アルミニウムが高強度かつ低重量材料の一例である。
【００５４】
ガラスファイバのような合成物は、特定のユーザおよび／または環境のための熱膨張、重量、クリープ、紫外線抵抗などのような技術特性の好適または対象の組み合わせを提供することに加えて、所望の審美的外観および／または感触を提供することができる。全ての実施例とともに本発明の固定具、ブラケット、およびトラックは、圧力やポリマ、金属および合成物を含む摩耗要求に耐えうる表面をスチール、アルミニウムなどで加工された材料を用いて、最も任意のエンジニアリング材料から製造される。このような適用例においては一般的であると考えられている。
【産業上の利用可能性】
【００５５】
本発明は冷蔵庫、キャビネットなどに配置されているようなラック、棚板などの収納面への簡易な取り付けを含むいくつかの利点を提供する。この収納面は固体タイプ（例えば、連続したガラスシートやプラスチックシート）であってもよいし、開放領域型（例えば、ワイヤラック、有孔メタルやプラスチック）であってもよい。さらに、本発明は一般に収納構造に見られるものに共通して見られる方形の収納設置面積を有効利用するために構成されている。コーナートレイと組み合わされたこのユニークな回動構造は、簡易な完全な円形の回動式収納ユニットより効率がよい。このように完全な円形の回動式収納ユニット（すなわち、回動サーバ、または回動盆）は本質的な収納損失、中央のデッドスポット問題、および収納物の相対配置の損失といった望ましくない属性に悩まされている。
【図１Ａ】
2012516708.tif 000003
【図１Ｂ】
2012516708.tif 000004
【図１Ｃ】
2012516708.tif 000005
【図１Ｄ】
2012516708.tif 000006
【図１Ｅ】
2012516708.tif 000007
【図２】
2012516708.tif 000008
【図３Ａ】
2012516708.tif 000009
【図３Ｂ】
2012516708.tif 000010
【図３Ｃ】
2012516708.tif 000011
【図３Ｄ】
2012516708.tif 000012
【図４Ａ】
2012516708.tif 000013
【図４Ｂ】
2012516708.tif 000014
【図４Ｃ】
2012516708.tif 000015
【図４Ｄ】
2012516708.tif 000016
【図５Ａ】
2012516708.tif 000017
【図５Ｂ】
2012516708.tif 000018
【図５Ｃ】
2012516708.tif 000019
【図６Ａ】
2012516708.tif 000020
【図６Ｂ】
2012516708.tif 000021
【図７Ａ】
2012516708.tif 000022
【図７Ｂ】
2012516708.tif 000023
【図７Ｃ】
2012516708.tif 000024
【図７Ｄ】
2012516708.tif 000025
【図８Ａ】
2012516708.tif 000026
【図８Ｂ】
2012516708.tif 000027
【図８Ｃ】
2012516708.tif 000028
【図９Ａ】
2012516708.tif 000029
【図９Ｂ】
2012516708.tif 000030
【図９Ｃ】
2012516708.tif 000031
【国際調査報告】
2012516708.tif 000032
2012516708.tif 000033